(57)【特許請求の範囲】
【請求項１】
有線回線に接続される親機と、無線回線を介して親機と接続される子機とからなるコードレス電話装置であって、
前記子機は、
前記無線回線を介して前記親機との間で無線通信を行う子機無線部と、
前記親機から供給される充電用電源に重畳させたパルス信号を用いることにより、前記親機との間でデータ通信を行う子機データ通信部と、
前記親機とのペアリングを識別するための子機識別コードを記憶する子機記憶部と、
前記子機記憶部の子機識別コードを前記子機データ通信部から前記親機へ送信する識別コード管理部と
を備え、
前記親機は、
前記無線回線を介して前記子機との間で無線通信を行う親機無線部と、
当該親機に載置された前記子機に対して供給する前記充電用電源に重畳させたパルス信号を用いることにより、前記子機との間でデータ通信を行う親機データ通信部と、
前記子機とのペアリングを識別するための親機識別コードを記憶する親機記憶部と、
前記親機データ通信部で前記子機から受信した前記子機識別コードを前記親機記憶部の親機識別コードと比較し、その比較結果に応じて前記子機の誤載置を検知する誤載置検知部と
を備え、
前記誤載置検知部は、前記子機識別コードが前記親機識別コードと一致しない場合、前記親機識別コードを前記親機データ通信部から前記子機へ送信し、
前記識別コード管理部は、前記子機データ通信部で前記親機から受信した前記親機識別コードを新たな子機識別コードとして前記子機記憶部へ登録するとともに、前記子機識別コードの登録完了に応じて前記子機データ通信部から前記親機へ登録完了通知を送信し、
前記親機は、前記親機データ通信部で前記子機から前記子機識別コードの登録完了を示す登録完了通知を受信した場合、前記親機無線部から前記無線通信に用いる親機無線アドレスを取得して、前記親機データ通信部から前記子機へ送信する親機アドレス管理部をさらに備え、
前記子機は、前記子機データ通信部で前記親機から受信した前記親機無線アドレスを前記子機無線部へ設定するとともに、前記子機無線部から前記無線通信に用いる子機無線アドレスを取得して、前記子機データ通信部から前記親機へ送信する子機アドレス管理部をさらに備え、
前記親機アドレス管理部は、前記親機データ通信部で前記子機から受信した子機無線アドレスを前記親機無線部へ設定する
ことを特徴とするコードレス電話装置。
【請求項２】
有線回線に接続される親機と、無線回線を介して親機と接続される子機とからなるコードレス電話装置で用いられる誤載置検知方法であって、
前記子機は、
前記無線回線を介して前記親機との間で無線通信を行う子機無線部と、
前記親機から供給される充電用電源に重畳させたパルス信号を用いることにより、前記親機との間でデータ通信を行う子機データ通信部とを備えるとともに、
前記子機の子機記憶部が、前記親機とのペアリングを識別するための子機識別コードを記憶する子機記憶ステップと、
前記子機の識別コード管理部が、前記子機記憶部の子機識別コードを前記子機データ通信部から前記親機へ送信する識別コード管理ステップとを備え、
前記親機は、
前記無線回線を介して前記子機との間で無線通信を行う親機無線部と、
当該親機に載置された前記子機に対して供給する前記充電用電源に重畳させたパルス信号を用いることにより、前記子機との間でデータ通信を行う親機データ通信部とを備えるとともに、
前記親機の親機記憶部が、前記子機とのペアリングを識別するための親機識別コードを記憶する親機記憶ステップと、
前記親機の誤載置検知部が、前記パルス信号により前記子機から受信した前記子機識別コードを前記親機記憶部の親機識別コードと比較し、その比較結果に応じて前記子機の誤載置を検知する誤載置検知ステップとを備え、
前記誤載置検知ステップは、前記子機識別コードが前記親機識別コードと一致しない場合、前記親機識別コードを前記親機データ通信部から前記子機へ送信し、
前記識別コード管理ステップは、前記子機データ通信部で前記親機から受信した前記親機識別コードを新たな子機識別コードとして前記子機記憶部へ登録するとともに、前記子機識別コードの登録完了に応じて前記子機データ通信部から前記親機へ登録完了通知を送信し、
前記親機は、前記親機データ通信部で前記子機から前記子機識別コードの登録完了を示す登録完了通知を受信した場合、前記親機無線部から前記無線通信に用いる親機無線アドレスを取得して、前記親機データ通信部から前記子機へ送信する親機アドレス管理ステップをさらに備え、
前記子機は、前記子機データ通信部で前記親機から受信した前記親機無線アドレスを前記子機無線部へ設定するとともに、前記子機無線部から前記無線通信に用いる子機無線アドレスを取得して、前記子機データ通信部から前記親機へ送信する子機アドレス管理ステップをさらに備え、
前記親機アドレス管理ステップは、前記親機データ通信部で前記子機から受信した子機無線アドレスを前記親機無線部へ設定する
ことを特徴とする誤載置検知方法。
【発明の詳細な説明】
【技術分野】
【０００１】
本発明は、コードレス電話装置に関し、特にコードレス電話装置の親機に対する子機の誤載置を検知する誤載置検知技術に関する。
【背景技術】
【０００２】
コードレス電話装置は、有線回線に接続される親機と、ブルートゥース（登録商標：Bluetooth）などの無線通信方式に基づく無線回線を介して親機と接続されるハンドセット型の子機とから構成されている。
コードレス電話装置の子機は、二次電池を電源として動作している。このため、親機に子機を載置して親機の電源から子機の二次電池を充電するための充電台が設けられており、子機を使用していない未使用には、親機の充電台に子機が載置される。
【０００３】
また、このようなコードレス電話装置は、他のコードレス電話装置との間で、無線通信エリアが重なる場合がある。例えば、複数の内線電話端末を電話網に対して交換接続するボタン電話装置やＰＢＸシステムなどの電話システムでは、内線電話端末としてコードレス電話装置を用いる場合もあり、同一の部屋に複数のコードレス電話装置が設置される。
【０００４】
したがって、コードレス電話装置の親機と子機は、他のコードレス電話装置の無線通信との混信を避けるため、予め設定した識別コードによりペアリングされている親機および子機の間で無線通信を行うものとなっている。
これにより、例えば任意のコードレス電話装置の親機に着信が通知された場合、親機からペアリングされている子機に対してのみ制御メッセージが通知されて、当該子機で着信表示されることになる。
【０００５】
一方、親機と子機は、無線回線を介して接続されており、子機は持ち運び可能であることから、その子機を誤ってペアリングされていない他の親機の充電台に誤載置する場合がある。
このような誤載置が発生した場合、その親機での着信表示に応じて、当該親機に載置されている子機を利用者が取り上げて応答操作をしても、当該子機は他の親機とペアリングされていることから、当該子機でその着信に応答できないという不具合が発生する。
【０００６】
従来、このような誤載置の関係にある親機と子機とを新たにペアリングして無線通信可能とする技術として、子機に無線ＩＤタグを設け、この無線ＩＤタグから無線送信されたタグＩＤを親機で受信して誤載置を検知する技術が提案されている（例えば、特許文献１など参照）。
【先行技術文献】
【特許文献】
【０００７】
【特許文献１】特開２００６−２８７３４０号公報
【発明の概要】
【発明が解決しようとする課題】
【０００８】
しかしながら、このような従来技術では、誤載置の有無を判定するためのタグＩＤを、無線ＩＤタグで親機へ無線送信しているため、無線通信環境が良くない場合には、子機のタグＩＤが親機へ正しく通知されず、誤載置を正確に検知できないという問題点があった。例えば、複数のコードレス電話装置が近接して配置されている場合には、載置関係にない子機のタグＩＤを親機が受信してしまう場合があり、このようなケースでは、結果として誤載置を正確に検知できない。
【０００９】
本発明はこのような課題を解決するためのものであり、親機に対する子機の誤載置を正確に検知できる誤載置検知技術を提供することを目的としている。
【課題を解決するための手段】
【００１０】
このような目的を達成するために、本発明にかかるコードレス電話装置は、有線回線に接続される親機と、無線回線を介して親機と接続される子機とからなるコードレス電話装置であって、子機は、無線回線を介して親機との間で無線通信を行う子機無線部と、親機から供給される充電用電源に重畳させたパルス信号を用いることにより、親機との間でデータ通信を行う子機データ通信部と、親機とのペアリングを識別するための子機識別コードを記憶する子機記憶部と、子機記憶部の子機識別コードを子機データ通信部から親機へ送信する識別コード管理部とを備え、親機は、無線回線を介して子機との間で無線通信を行う親機無線部と、当該親機に載置された子機に対して供給する充電用電源に重畳させたパルス信号を用いることにより、子機との間でデータ通信を行う親機データ通信部と、子機とのペアリングを識別するための親機識別コードを記憶する親機記憶部と、親機データ通信部で子機から受信した子機識別コードを親機記憶部の親機識別コードと比較し、その比較結果に応じて子機の誤載置を検知する誤載置検知部とを備え、誤載置検知部は、子機識別コードが親機識別コードと一致しない場合、親機識別コードを親機データ通信部から子機へ送信し、識別コード管理部は、子機データ通信部で親機から受信した親機識別コードを新たな子機識別コードとして子機記憶部へ登録するとともに、子機識別コードの登録完了に応じて子機データ通信部から親機へ登録完了通知を送信し、親機は、親機データ通信部で子機から子機識別コードの登録完了を示す登録完了通知を受信した場合、親機無線部から無線通信に用いる親機無線アドレスを取得して、親機データ通信部から子機へ送信する親機アドレス管理部をさらに備え、子機は、子機データ通信部で親機から受信した親機無線アドレスを子機無線部へ設定するとともに、子機無線部から無線通信に用いる子機無線アドレスを取得して、子機データ通信部から親機へ送信する子機アドレス管理部をさらに備え、親機アドレス管理部は、親機データ通信部で子機から受信した子機無線アドレスを親機無線部へ設定するようにしたものである。
【００１３】
また、本発明にかかる誤載置検知方法は、有線回線に接続される親機と、無線回線を介して親機と接続される子機とからなるコードレス電話装置で用いられる誤載置検知方法であって、子機は、無線回線を介して親機との間で無線通信を行う子機無線部と、親機から供給される充電用電源に重畳させたパルス信号を用いることにより、親機との間でデータ通信を行う子機データ通信部とを備えるとともに、子機の子機記憶部が、親機とのペアリングを識別するための子機識別コードを記憶する子機記憶ステップと、子機の識別コード管理部が、子機記憶部の子機識別コードを、親機から供給される充電用電源に重畳させたパルス信号で、親機へ送信する識別コード管理ステップとを備え、親機は、無線回線を介して子機との間で無線通信を行う親機無線部と、当該親機に載置された子機に対して供給する充電用電源に重畳させたパルス信号を用いることにより、子機との間でデータ通信を行う親機データ通信部とを備えるとともに、親機の親機記憶部が、子機とのペアリングを識別するための親機識別コードを記憶する親機記憶ステップと、親機の誤載置検知部が、パルス信号により子機から受信した子機識別コードを親機記憶部の親機識別コードと比較し、その比較結果に応じて子機の誤載置を検知する誤載置検知ステップとを備え、誤載置検知ステップは、子機識別コードが親機識別コードと一致しない場合、親機識別コードを親機データ通信部から子機へ送信し、識別コード管理ステップは、子機データ通信部で親機から受信した親機識別コードを新たな子機識別コードとして子機記憶部へ登録するとともに、子機識別コードの登録完了に応じて子機データ通信部から親機へ登録完了通知を送信し、親機は、親機データ通信部で子機から子機識別コードの登録完了を示す登録完了通知を受信した場合、親機無線部から無線通信に用いる親機無線アドレスを取得して、親機データ通信部から子機へ送信する親機アドレス管理ステップをさらに備え、子機は、子機データ通信部で親機から受信した親機無線アドレスを子機無線部へ設定するとともに、子機無線部から無線通信に用いる子機無線アドレスを取得して、子機データ通信部から親機へ送信する子機アドレス管理ステップをさらに備え、親機アドレス管理ステップは、親機データ通信部で子機から受信した子機無線アドレスを親機無線部へ設定するようにしたものである。
【発明の効果】
【００１４】
本発明によれば、載置関係にある親機と子機との間で、充電端子を介して有線で識別コードがやり取りされる。これにより、無線通信環境や周囲に設置されている他のコードレス電話装置の親機や子機に左右されることなく、識別コードをやり取りすることができ、親機に対する子機の誤載置を正確に検知することができる。
【図面の簡単な説明】
【００１５】
【図１】本実施の形態にかかるコードレス電話装置の構成を示すブロック図である。
【図２】本実施の形態にかかるコードレス電話装置の外観図である。
【図３】親機データ通信部および子機データ通信部の構成例である。
【図４】本実施の形態にかかるコードレス電話装置の誤載置検知動作を示すシーケンス図である。
【発明を実施するための形態】
【００１６】
次に、本発明の一実施の形態について図面を参照して説明する。
［コードレス電話装置］
まず、図１および図２を参照して、本実施の形態にかかるコードレス電話装置について説明する。図１は、本実施の形態にかかるコードレス電話装置の構成を示すブロック図である。図２は、本実施の形態にかかるコードレス電話装置の外観図である。
【００１７】
このコードレス電話装置１は、有線回線１０Ｌに接続される親機１０と、無線回線３０を介して親機１０と接続される子機２０とからなり、有線回線１０Ｌを介して相手電話装置（図示せず）との間で形成した通話を、親機１０が無線回線３０を介して子機２０へ中継することにより、子機２０と相手電話装置との間の通話を実現する機能と、親機１０の充電台１０Ａに子機２０を載置することにより、親機１０の充電端子１０Ｔと子機２０の充電端子２０Ｔとが電気的に接触して、親機１０から充電用電源が子機２０へ供給されて子機２０の二次電池を充電する機能とを有している。
【００１８】
親機１０と子機２０とは、例えばブルートゥースなどの無線通信方式に基づく無線通信により、無線回線３０を形成することにより、音声データや制御データなどやり取りする。この際、親機１０と子機２０には、互いのペアリングを確認するため、例えばブルートゥースで用いられるＰＩＮ番号のような識別コードが予め登録されており、この識別コードを用いて他のコードレス電話装置の親機や子機を区別するものとなっている。本実施の形態では、親機１０に登録されている識別コードを親機識別コードと呼び、子機２０に登録されている識別コードを子機識別コードと呼ぶ。
また、親機１０と子機２０には、無線通信に用いる無線アドレスが予め設定されており、本実施の形態では、親機１０に登録されている無線アドレスを親機無線アドレスと呼び、子機２０に登録されている無線アドレスを子機無線アドレスと呼ぶ。
【００１９】
本実施の形態は、子機２０で、子機識別コードを親機１０から供給される充電用電源に重畳させたパルス信号で、親機１０へ送信し、親機１０で、このパルス信号により子機２０から受信した子機識別コードを親機識別コードと比較し、その比較結果に応じて子機２０の誤載置を検知するようにしたものである。
【００２０】
［親機］
次に、図１〜図３を参照して、本実施の形態にかかるコードレス電話装置の親機１０の構成について詳細に説明する。図３は、親機データ通信部および子機データ通信部の構成例である。
親機１０には、主な機能部として、親機無線部１１、親機データ通信部１２、電源部１３、親機記憶部１４、誤載置検知部１５、親機アドレス管理部１６、親機呼制御部１７、および回線インターフェース部（以下、回線Ｉ／Ｆ部という）１８が設けられている。
【００２１】
親機無線部１１は、専用の無線通信モジュールからなり、予め設定されている親機無線アドレスおよび子機無線アドレスを用いて、子機２０と無線通信を行うことにより無線回線３０を形成し、子機２０との間で音声データや制御データなどをやり取りする機能を有している。
【００２２】
親機データ通信部１２は、図３に示すように、専用のデータ送受信回路１２Ａと重畳用トランス１２Ｂとからなり、充電端子１０Ｔを介して電源部１３から子機２０に対して供給される充電用電源にパルス信号を重畳することにより、子機２０との間でデータ通信を行う機能を有している。
電源部１３は、専用の電源回路からなり、ＡＣ電源など外部から供給された電源から親機１０の各機能部で用いる動作電源と、子機２０へ供給する充電用電源とを生成する機能を有している。
【００２３】
重畳用トランス１２Ｂの二次側に設けた２つの巻線には、電源部１３からの充電用電源がそれぞれ供給されており、重畳用トランス１２Ｂの一次側巻線が送受信回路１２Ａに接続されている。
これにより、電源部１３からの充電用電源が、重畳用トランス１２Ｂから充電端子１０Ｔおよび充電端子２０Ｔを介して子機２０へ供給される。また、送受信回路１２Ａから送信したパルス信号が、充電用電源に重畳されて子機２０へ送信されるとともに、充電用電源に重畳された子機２０からのパルス信号が送受信回路１２Ａで受信される。
【００２４】
親機記憶部１４は、半導体メモリなどの記憶装置からなり、各機能部で用いる処理情報やプログラムを記憶する機能を有している。主な処理情報としては、親機識別コードや呼制御に用いる呼制御情報などがある。
【００２５】
誤載置検知部１５は、親機データ通信部１２で子機２０から受信した子機識別コードを、親機記憶部１４から取得した親機識別コードと比較し、その比較結果に応じて子機２０の誤載置を検知する機能と、子機識別コードが親機識別コードと一致しない場合、親機識別コードを親機データ通信部１２から子機２０へ送信する機能とを有している。
【００２６】
親機アドレス管理部１６は、親機データ通信部１２で子機２０から子機識別コードの登録完了を示す登録完了通知を受信した場合、親機無線部１１から無線通信に用いる親機無線アドレスを取得して、親機データ通信部１２から子機２０へ送信する機能と、親機データ通信部１２で子機２０から受信した子機無線アドレスを親機無線部１１へ設定する機能とを有している。
【００２７】
親機呼制御部１７は、回線Ｉ／Ｆ部１８介して電話網（図示せず）との間で呼制御信号や呼制御メッセージをやり取りすることにより、有線回線１０Ｌを用いた発信、着信、通話などの呼制御を行う機能と、親機無線部１１と回線Ｉ／Ｆ部１８とを中継接続することにより、子機２０と相手電話装置との間の通話を実現する機能とを有している。
【００２８】
回線Ｉ／Ｆ部１８は、専用の通信回路からなり、有線回線１０Ｌを介して電話網との間で、呼制御信号や呼制御メッセージをやり取りする機能を有している。
親機１０に設けられているこれら機能部のうち、誤載置検知部１５、親機アドレス管理部１６、および親機呼制御部１７は、ＣＰＵとプログラムとが協働して実現される。
【００２９】
［子機］
次に、図１〜図３を参照して、本実施の形態にかかるコードレス電話装置の子機２０の構成について詳細に説明する。
子機２０には、主な機能部として、子機無線部２１、子機データ通信部２２、二次電池２３、子機記憶部２４、識別コード管理部２５、子機アドレス管理部２６が設けられている。
【００３０】
子機無線部２１は、専用の無線通信モジュールからなり、予め設定されている子機無線アドレスおよび親機無線アドレスを用いて、親機１０と無線通信を行うことにより無線回線３０を形成し、親機１０との間で音声データや制御データなどをやり取りする機能を有している。
【００３１】
子機データ通信部２２は、図３に示すように、専用のデータ送受信回路２２Ａと重畳用トランス２２Ｂとからなり、充電端子２０Ｔを介して親機１０から二次電池２３に供給される充電用電源にパルス信号を重畳することにより、親機１０との間でデータ通信を行う機能を有している。
二次電池２３は、親機１０から供給される充電用電源を充電して、子機２０の各機能部で用いる動作電源を生成する機能を有している。
【００３２】
重畳用トランス２２Ｂの二次側に設けた２つの巻線には、二次電池２３が接続されており、重畳用トランス２２Ｂの一次側巻線が送受信回路２２Ａに接続されている。
これにより、親機１０から供給された充電用電源が、充電端子１０Ｔおよび充電端子２０Ｔを介して、重畳用トランス２２Ｂから二次電池２３へ供給される。また、充電用電源に重畳された親機１０からのパルス信号が送受信回路２２Ａで受信されるとともに、送受信回路２２Ａから送信したパルス信号が、充電用電源に重畳されて親機１０へ送信される。
【００３３】
子機記憶部２４は、半導体メモリなどの記憶装置からなり、各機能部で用いる処理情報やプログラムを記憶する機能を有している。主な処理情報としては、子機識別コードや呼制御に用いる呼制御情報などがある。
【００３４】
識別コード管理部２５は、子機記憶部２４から子機識別コードを取得して、子機データ通信部２２から親機１０へ送信する機能と、子機データ通信部２２で親機１０から受信した親機識別コードを新たな子機識別コードとして子機記憶部２４へ登録する機能と、子機識別コードの登録完了に応じて子機データ通信部２２から親機１０へ登録完了通知を送信する機能とを有している。
【００３５】
子機アドレス管理部２６は、子機データ通信部２２で親機１０から受信した親機無線アドレスを子機無線部２１へ設定する機能と、子機無線部２１から子機無線アドレスを取得して、子機データ通信部２２から親機１０へ送信する機能とを有している。
【００３６】
子機呼制御部２７は、子機無線部２１を介して親機１０との間で呼制御データや音声データをやり取りすることにより、音声処理部２８を用いた相手電話装置との間の通話を実現する機能を有している。
【００３７】
音声処理部２８は、子機無線部２１で受信した音声データを音声信号に復号してスピーカ（図示せず）から出力するとともに、マイク（図示せず）から入力された音声信号を音声データに符号化して子機無線部２１から送信する機能とを有している。
子機２０に設けられているこれら機能部のうち、識別コード管理部２５、子機アドレス管理部２６、および子機呼制御部２７は、ＣＰＵとプログラムとが協働して実現される。
【００３８】
［本実施の形態の動作］
次に、図４を参照して、本実施の形態にかかるコードレス電話装置の誤載置検知動作について説明する。図４は、本実施の形態にかかるコードレス電話装置の誤載置検知動作を示すシーケンス図である。
コードレス電話装置１の親機１０および子機２０は、子機２０が親機１０の充電台１０Ａに載置された場合、図４の誤載置検知動作を実行する。
【００３９】
まず、親機１０は、子機２０が充電台１０Ａに載置された場合、親機１０の充電端子１０Ｔと子機２０の充電端子２０Ｔとが電気的に接触して、親機１０の電源部１３から子機２０の二次電池２３に対して充電用電源の供給が開始される（ステップ１００）。
これに応じて、子機２０の識別コード管理部２５は、子機記憶部２４から子機識別コードを取得して（ステップ１０１）、子機データ通信部２２から親機１０へ送信する（ステップ１０２）。
【００４０】
親機１０の誤載置検知部１５は、親機データ通信部１２で子機２０から受信した子機識別コードを受信した場合、親機記憶部１４から親機識別コードを取得し（ステップ１０３）、受信した子機識別コードを親機識別コードと比較する（ステップ１０４）。
ここで、子機識別コードが親機識別コードと一致した場合、予めペアリングされている子機２０が充電台１０Ａに載置されたことから、これ以降の誤載置検知動作を実行せずに一連の動作を終了する。
【００４１】
一方、子機識別コードが親機識別コードと一致しない場合（ステップ１０４：ＮＯ）、誤載置検知部１５は、親機識別コードを親機データ通信部１２から子機２０へ送信する（ステップ１０５）。
子機２０の識別コード管理部２５は、子機データ通信部２２で親機１０から親機識別コードを受信した場合、受信した親機識別コードを新たな子機識別コードとして子機記憶部２４へ登録し（ステップ１０６）、この子機識別コードの登録完了に応じて子機データ通信部２２から親機１０へ登録完了通知を送信する（ステップ１０７）。
【００４２】
親機１０の親機アドレス管理部１６は、親機データ通信部１２で子機２０から子機識別コードの登録完了を示す登録完了通知を受信した場合、親機無線部１１から無線通信に用いる親機無線アドレスを取得して（ステップ１１０）、親機データ通信部１２から子機２０へ送信する（ステップ１１１）。
子機２０の子機アドレス管理部２６は、子機データ通信部２２で親機１０から受信した親機無線アドレスを子機無線部２１へ設定し（ステップ１１２）、子機無線部２１から子機無線アドレスを取得して（ステップ１１３）、子機データ通信部２２から親機１０へ送信する（ステップ１１４）。
【００４３】
親機１０の親機アドレス管理部１６は、親機データ通信部１２で子機２０から受信した子機無線アドレスを親機無線部１１へ設定する（ステップ１１５）。
これにより、親機１０に子機２０が誤載置された場合、子機２０の子機識別コードが親機１０の親機識別コードで更新されるとともに、互いの無線アドレスが交換され、親機１０と子機２０とのペアリングが成立する（ステップ１１６）。
【００４４】
［本実施の形態の効果］
このように、本実施の形態は、子機２０で、子機識別コードを親機１０から供給される充電用電源に重畳させたパルス信号で、親機１０へ送信し、親機１０で、このパルス信号により子機２０から受信した子機識別コードを親機識別コードと比較し、その比較結果に応じて子機２０の誤載置を検知するようにしたので、載置関係にある親機１０と子機２０との間で、充電端子１０Ｔ，２０Ｔを介して有線で識別コードがやり取りされる。
これにより、無線通信環境や周囲に設置されている他のコードレス電話装置の親機や子機に左右されることなく、識別コードをやり取りすることができ、親機に対する子機の誤載置を正確に検知することができる。
【００４５】
また、本実施の形態では、子機識別コードが親機識別コードと一致しない場合、親機１０の誤載置検出部１５で親機識別コードを子機２０へ送信し、親機１０から受信した親機識別コードを、子機２０の識別コード管理部２５で、新たな子機識別コードとして子機記憶部２４へ登録するようにしたので、誤載置の場合には、自動的に親機１０と子機２０とのペアリングが行われる。
【００４６】
このため、利用者が識別コードを設定するペアリング操作を必要とすることなく、誤載置された子機２０をその親機１０の正規の子機２０として使用することが可能となり、元の親機１０まで戻って子機２０を載置する必要もなくなる。また、ペアリング操作が極めて容易であることから、例えば親機１０または子機２０を修理して、再度ペアリングが必要となった場合でも、一般の利用者が容易にペアリングできることから、専門の工事担当者が現場に出向いてペアリング操作をする必要がなくなり、メンテナンスにかかる負担やコストを大幅に削減できる。
【００４７】
また、本実施の形態では、子機２０での子機識別コードの登録完了に応じて、親機１０の親機アドレス管理部１６で、親機無線部１１から無線通信に用いる親機無線アドレスを取得して子機２０へ送信し、親機１０から受信した親機無線アドレスを、子機２０の子機アドレス管理部２６で子機無線部２１へ設定するとともに、子機無線部２１から子機無線アドレスを取得して親機１０へ送信し、親機データ通信部で子機から受信した子機無線アドレスを、親機１０の親機アドレス管理部１６で親機無線部へ設定するようにしたので、無線通信に必要な親機無線アドレスと子機無線アドレスが、親機１０と子機２０との間で相互にやり取りされる。このため、親機無線部１１および子機無線部２１で、互いの無線アドレスをサーチする必要がなくなり、無線通信環境や周囲に設置されている他のコードレス電話装置の親機や子機に左右されることなく、極めて短い時間で、誤載置された子機２０をその親機１０の正規の子機２０として使用することが可能となる。
【００４８】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００４９】
また、以上の実施の形態では、親機１０と子機２０との間で、充電用電源に重畳したパルス信号により、識別コードおよび無線アドレスをやり取りする場合を例として説明したが、通常、無線回線３０を介してやり取りする制御データを、パルス信号によりやり取りしてもよい。これにより、子機２０が親機１０に載置されている場合、子機２０の子機無線部２１が省電力動作状態へ移行し、子機２０が親機１０から取り上げられた時点で、子機２０の子機無線部２１が省電力動作状態を解除して、通常動作状態へ復帰するようにしてもよい。
【符号の説明】
【００５０】
１…コードレス電話装置、１０…親機、１０Ａ…充電台、１０Ｌ…有線回線、１０Ｔ…充電端子、１１…親機無線部、１２…親機データ通信部、１２Ａ…送受信回路、１２Ｂ…重畳用トランス、１３…電源部、１４…親機記憶部、１５…誤載置検知部、１６…親機アドレス管理部、１７…親機呼制御部、１８…回線Ｉ／Ｆ部、２０…子機、２０Ｔ…充電端子、２１…子機無線部、２２…子機データ通信部、２２Ａ…送受信回路、２２Ｂ…重畳用トランス、２３…二次電池、２４…子機記憶部、２５…識別コード管理部、２６…子機アドレス管理部、２７…子機呼制御部、２８…音声処理部、３０…無線回線。
【図１】
0005499838.tif 000002
【図２】
0005499838.tif 000003
【図３】
0005499838.tif 000004
【図４】
0005499838.tif 000005